(57)【要約】【課題】速い速度で開状態から閉状態に変位することができるようにする。【解決手段】閉位置と開位置との間を回動変位可能な左右一対の羽根片６０ａ，６０ｂと、前進位置と後退位置との間を変位するプランジャ９２と、回動部材８０とを有する。回動部材８０は、プランジャ９２と羽根片６０ａ，６０ｂとの間においてパチンコ機の幅方向に延びる回動軸８１を中心に回動可能に配設され、プランジャ９２の作用を受ける被作用部８３と、各羽根片６０ａ，６０ｂに対して作用する作用部８５とを有し、プランジャ９２が後退位置に位置した状態で各羽根片６０ａ，６０ｂを開位置に位置させ、プランジャ９２が前進位置に位置した状態で各羽根片６０ａ，６０ｂを閉位置に位置させる。作用部８５と回動軸８１との間の距離が被作用部８３と回動軸８１との間の距離よりも長くされている。【選択図】図４Ｂ
2008148815.tif 000002
【特許請求の範囲】
【請求項１】
弾球遊技機の遊技盤に設けられる入賞装置であって、
相互に近接する閉位置と相互に離隔する開位置との間を変位可能な左右一対の羽根片と、
前進位置と後退位置との間を変位するプランジャと、
前記プランジャと前記左右一対の羽根片との間において当該弾球遊技機の幅方向に延びる回動軸を中心に回動可能に配設され、前記プランジャの作用を受ける被作用部と、前記各羽根片に対して作用する作用部とを有し、前記プランジャが前記前進位置及び前記後退位置のうちの一方に位置した状態で各羽根片を前記開位置に位置させ、前記プランジャが前記前進位置及び前記後退位置のうちの他方に位置した状態で各羽根片を前記閉位置に位置させる回動部材とを有し、
前記作用部と前記回動軸との間の距離が前記被作用部と前記回動軸との間の距離よりも長くされている、
弾球遊技機の入賞装置。
【請求項２】
請求項１に記載の弾球遊技機の入賞装置であって、
前記作用部と前記回動軸との間の距離が前記被作用部と前記回動軸との間の距離の２倍以上である、
弾球遊技機の入賞装置。
【発明の詳細な説明】
【技術分野】
【０００１】
本発明は、パチンコ機等の弾球遊技機の入賞装置に関するものである。
【背景技術】
【０００２】
パチンコ機（弾球遊技機）は遊技盤を有し、遊技盤には入賞装置が設けられている。
入賞装置の１つのタイプとして、左右一対の羽根片が開閉可能に設けられているものがある。各羽根片は、回動軸を基準にほぼ上方向かう閉位置と、回動軸を基準に相互に離隔するように斜め上方又は側方へ向かう開位置との間を回動（変位）する。
そして、入賞装置が閉状態（各羽根片が閉位置に位置する状態）の際には、パチンコ球が入賞することは困難又は不可能で、入賞装置が開状態（各羽根片が開位置に位置する状態）の際には、パチンコ球が容易に入賞する。
【０００３】
従来の入賞装置の一例として、特許文献１に開示されているものがある。
その入賞装置では、プランジャの変位に伴って回動する回動部材によって、左右一対の羽根片が開閉する。回動部材は、プランジャと羽根片との間に位置する回動軸を中心に回動する。
そして、プランジャが前進位置に位置する状態で、回動部材の被作用部に対するプランジャの作用に基づいて、回動部材が下向き位置に位置し、その回動部材の作用部の各羽根片に対する作用に基づいて、各羽根片は閉位置に位置する。
プランジャが後退位置に位置する状態で、回動部材の被作用部に対するプランジャの作用に基づいて、回動部材が上向き位置に位置し、その回動部材の作用部の各羽根片に対する作用に基づいて、各羽根片は開位置に位置する。
【０００４】
ところで、入賞装置が所定の時間の間において開状態となるように設定されている場合には、その入賞装置は、その所定の時間の間は開状態であるとともに、その所定の時間が経過した時点で直ちに閉状態となることが求められる。すなわち、開状態から閉状態に速い速度で変位することが求められる。
【０００５】
そのことを詳細に述べると、次のとおりである。
入賞装置（各羽根片）が開状態（開位置）から閉状態（閉位置）に変位するためには、その変位長さを変位速度で除した時間が必要である。
そして、その変位のための時間の途中のタイミングでは、開状態から、…，９０％の開状態（１０％の閉状態），８０％の開状態（２０％の閉状態），……，２０％の開状態（８０％の閉状態），１０％の開状態（９０％の閉状態），…のように、開状態と閉状態との間の中途の状態（いわゆる半開き状態等）がある。
【０００６】
そして、開状態と閉状態との間の中途の状態でも（特に、開状態に近い状態において）、パチンコ球は容易に入賞する。閉状態の場合と比較すれば、パチンコ球は容易に入賞するのである。
このため、そのことも考慮すると、入賞装置が開状態から閉状態に変位する速度が遅いほど、パチンコ球は当初の想定よりも多く入賞してしまうこととなるのである。
このため、入賞装置が開状態から閉状態に変位する速度は速いことが求められるのである。
【０００７】
しかしながら、特許文献１に開示されている入賞装置（上述）では、回動部材における作用部と回動軸との間の距離と被作用部と回動軸との間の距離がほぼ同一である。
このため、回動部材の作用部が変位する速度は、回動部材の被作用部が変位する速度とほぼ同一である。
ここで、各羽根片が変位する速度は回動部材の作用部が変位する速度に対応するため、この入賞装置では、開状態から閉状態に変位する速度には限界がある。
【特許文献１】特開２００５−１３１０６０公報
【発明の開示】
【発明が解決しようとする課題】
【０００８】
本発明は、速い速度で開状態から閉状態に変位することができる入賞装置を提供することを目的とする。
【課題を解決するための手段】
【０００９】
上記の目的を達成するために、請求項１に係る発明は、弾球遊技機の遊技盤に設けられる入賞装置であって、相互に近接する閉位置と相互に離隔する開位置との間を変位可能な左右一対の羽根片と、前進位置と後退位置との間を変位するプランジャと、前記プランジャと前記左右一対の羽根片との間において当該弾球遊技機の幅方向に延びる回動軸を中心に回動可能に配設され、前記プランジャの作用を受ける被作用部と、前記各羽根片に対して作用する作用部とを有し、前記プランジャが前記前進位置及び前記後退位置のうちの一方に位置した状態で各羽根片を前記開位置に位置させ、前記プランジャが前記前進位置及び前記後退位置のうちの他方に位置した状態で各羽根片を前記閉位置に位置させる回動部材とを有し、前記作用部と前記回動軸との間の距離が前記被作用部と前記回動軸との間の距離よりも長くされている、弾球遊技機の入賞装置である。
【００１０】
この発明の弾球遊技機の入賞装置では、前進位置と後退位置との間を変位するプランジャの作用を受けて、回動部材が回動軸を中心に回動する。
プランジャが前進位置及び後退位置のうちの一方に位置した状態で、回動部材の被作用部がプランジャの作用を受けることに基づいて、回動部材の作用部が各羽根片を開位置に位置させる。
一方、プランジャが前進位置及び後退位置のうちの他方に位置した状態で、回動部材の被作用部がプランジャの作用を受けることに基づいて、回動部材の作用部が各羽根片を閉位置に位置させる。
そして、この発明の弾球遊技機の入賞装置では、回動部材において、作用部と回動軸との間の距離が被作用部と回動軸との間の距離よりも長いため、プランジャが前進位置及び後退位置のうちの一方から他方に変位することに基づいて、回動部材が回動軸を中心に回動しつつ回動部材の被作用部が変位する速度よりも、同じく回動部材の作用部が変位する速度の方が速い。ここで、作用部は、各羽根片に対して作用するものである。
このため、この発明の弾球遊技機の入賞装置では、各羽根片を速い速度で開位置から閉位置へ変位させる（すなわち、入賞装置が開状態から閉位置へ変位する）ことができる。
【００１１】
請求項２に係る発明は、請求項１に係る発明の弾球遊技機の入賞装置であって、前記作用部と前記回動軸との間の距離が前記被作用部と前記回動軸との間の距離の２倍以上である、弾球遊技機の入賞装置である。
【００１２】
この発明の弾球遊技機の入賞装置では、請求項１に係る発明の弾球遊技機の入賞装置の作用及び効果に加えて、次の作用及び効果が得られる。
すなわち、この発明の弾球遊技機の入賞装置では、回動部材において作用部と回動軸との間の距離が被作用部と回動軸との間の距離の２倍以上であるため、作用部が変位する速度は被作用部が変位する速度より２倍以上速い。
このため、この発明の弾球遊技機の入賞装置では、被作用部の変位速度の２倍の速度に対応する速い速度で各羽根片を開位置から閉位置へ変位させる（すなわち、入賞装置が開状態から閉位置へ変位する）ことができる。
なお、この発明をさらに限定した内容の発明として、「２倍」を「３倍」又は「４倍」に置き換えた発明が考えられる。
【発明の効果】
【００１３】
以上のように、本発明の弾球遊技機の入賞装置では、速い速度で開状態から閉状態に変位することができる。
【発明を実施するための最良の形態】
【００１４】
次に、本発明の一実施形態について図面に基づいて説明する。
図１に示すように、このパチンコ機（弾球遊技機）はほぼ鉛直な遊技盤１０を有し、その下方には、ハンドル１２や賞球払い出し装置（図示省略）が設けられている。
ハンドル１２は、パチンコ球（遊技球）の発射操作をするものであり、賞球払い出し装置は、各入賞口（後述）にパチンコ球が入賞した場合にパチンコ球を賞球として払い出すものである。
【００１５】
遊技盤１０には、外側レール１５及び内側レール１６が設けられており、内側レール１６の内側が遊技領域（符号省略）とされ、外側レール１５と内側レール１６の間の部分が、発射された直後のパチンコ球が通る通路（符号省略）とされている。
そして、遊技者がハンドル１２を操作することによって発射されたパチンコ球は、通路を通り、遊技領域へと導かれる。
【００１６】
遊技盤１０（遊技領域）には、多数の釘（図示省略）や風車２８が設けられているとともに、複数の普通入賞口２０が設けられている。普通入賞口２０にパチンコ球が入った場合には、例えば６又は１３個のパチンコ球が賞球として賞球払い出し装置から払い出される。
【００１７】
遊技盤１０のほぼ中央にはセンター役物３０が設けられている。センター役物３０の下方には始動入賞装置４０が設けられ、その下方には大入賞口２２が設けられている。
センター役物３０には、表示部３２が設けられている。表示部３２は液晶等によって構成され、種々の図柄が表示される。
【００１８】
始動入賞装置４０にパチンコ球が入る（入賞する）と、センター役物３０の表示部３２における図柄が所定の時間変動表示され、その後、最終的な図柄が静止表示される。静止表示された図柄には「当たり」と「はずれ」がある。
「当たり」の場合（例えば「７７７」）には、大入賞口２２が所定の回数開くようにされている。例えば、１６回開き、１回当たり１０個のパチンコ球が入るまで開いたままとなる。そして、大入賞口２２に対する１個のパチンコ球の入賞に対して、１５個のパチンコ球が賞球として賞球払い出し装置から払い出される。
上述の始動入賞装置４０に入賞した後の一連の動作（センター役物３０の変動表示，静止表示，「当たり」の場合の大入賞口２２の開閉，賞球の払い出し）のことをセンター役物３０が遊技者に与える特別な利益ということとする。
始動入賞装置４０に複数個のパチンコ球が入賞した際には、入賞したパチンコ球の数の分だけ、上述のセンター役物３０による特別な利益が遊技者に与えられる。
【００１９】
図２に示すように、始動入賞装置４０は開閉可能である。すなわち、始動入賞装置４０は、閉状態（図２（Ａ））と開状態（図２（Ｂ））との間を変位可能である。
始動入賞装置４０は、通常は閉状態（図２（Ａ））にある。所定の条件が満たされた場合には、所定の時間の間（例えば０．５秒の間）、開状態（図２（Ｂ））となる。
始動入賞装置４０が閉状態にある場合は、パチンコ球が入賞するのは困難である（入賞する確率は低い）が、始動入賞装置４０が開状態にある場合は、パチンコ球は容易に入賞する（入賞する確率が高い）。
【００２０】
次に、始動入賞装置４０について詳細に説明する。
図３に示すように、始動入賞装置（以下、単に入賞装置という）４０は、基板部材５０，左右一対の羽根片６０ａ，６０ｂ，前板部材７０，回動部材８０，ソレノイド９０（電磁石）を有している。
【００２１】
基板部材５０は基板部５１を有し、基板部５１は、遊技盤１０（そのおもて面）に対して固定される。
基板部材５０には、開口部５４，左右一対の嵌合孔５２が形成されている。
【００２２】
各羽根片６０ａ，６０ｂは、嵌合孔６２を有している。嵌合孔６２は、このパチンコ機の奥行方向に延びている。
各羽根片６０ａ，６０ｂは、被作用部６５を有している。被作用部６５は、軸状をなし、羽根片６０ａ，６０ｂ（そのうちの奥側の面）からこのパチンコ機の奥側に向かって延びている。
【００２３】
前板部材７０は、前板部７１，一対の回動軸７２を有している。
各回動軸７２は、各羽根片６０ａ，６０ｂの嵌合孔６２に対して相対的に回動可能（摺動可能）に嵌合され、基板部材５０の各嵌合孔５２に嵌合され固定されている。
こうして、図２に示すように、各羽根片６０ａ，６０ｂは、基板部５１（基板部材５０）に対して、閉位置（図２（Ａ））と開位置（図２（Ｂ））との間を回動可能に取り付けられている。
【００２４】
図２（Ａ）に示すように、各羽根片６０ａ，６０ｂが閉位置に位置する状態において、各羽根片６０ａ，６０ｂは、回動軸７２（嵌合孔６２）を基準にほぼ上方に向かう（すなわち、両羽根片６０ａ，６０ｂは相互に近接する）。その際の入賞装置４０の状態を閉状態という。前述したように、この閉状態において、両羽根片６０ａ，６０ｂ間（入賞装置４０）にパチンコ球が入賞するのは困難である。
図２（Ｂ）に示すように、各羽根片６０ａ，６０ｂが開位置に位置する状態において、各羽根片６０ａ，６０ｂは、回動軸７２（嵌合孔６２）を基準に、相互に離隔するようにほぼ側方に向かう（すなわち、両羽根片６０ａ，６０ｂは相互に離隔する）。その際の入賞装置４０の状態を開状態という。前述したように、この開状態において、両羽根片６０ａ，６０ｂ間（入賞装置４０）にパチンコ球が容易に入賞する。
図３に示すように、各羽根片６０ａ，６０ｂの被作用部６５は、基板部５１の開口部５４を通して、このパチンコ機の奥側に向かって延びている。
【００２５】
図３に示すように、回動部材８０，ソレノイド９０（電磁石）等は、遊技盤１０（図１）の裏側に配設されている。
ソレノイド９０は、ケーシング９５内に収容されている。
ソレノイド９０には、プランジャ９２が設けられている。プランジャ９２は、このパチンコ機の奥行方向に延びており、自身の長さ方向（このパチンコ機の奥行方向）に、前進位置と後退位置との間を移動（変位）可能である。
プランジャ９２は、圧縮スプリング９１によって手前側方向に付勢されている。
【００２６】
通常は、図４Ａに示すように、ソレノイド９０は非励磁状態にあり、プランジャ９２は、圧縮スプリング９１の付勢力によって前進位置に位置している。
一方、図４Ｂに示すように、ソレノイド９０が励磁状態とされると、プランジャ９２は、圧縮スプリング９１の付勢力に抗して、奥側に移動し、後退位置に位置する。
図３に示すように、プランジャ９２の手前側の端部には、フランジ状の作用部９３が形成されている。
【００２７】
なお、ケーシング９５には、パチンコ球センサ９８が設けられている。パチンコ球センサ９８は、入賞装置４０に入賞したパチンコ球（パチンコ球センサ９８の貫通孔（符号省略）を流れる）を検知する。これによって、入賞装置４０に入賞したパチンコ球の数が計測される。
【００２８】
回動部材８０は、一対の回動軸８１を有している（図３等においては、そのうち一方のみが図示されている）。
両回動軸８１は、同軸上に、かつ、このパチンコ機の幅方向に延びている。各回動軸８１は、基板部材５０（その各切欠部５６（一方のみ図示））及びケーシング９５によって形成される各支持孔（図示省略）によって回動可能に支持されている。
【００２９】
こうして、回動部材８０は、下向き位置（図４Ａ（ｂ））と上向き位置（図４Ｂ（ｂ））との間を回動（変位）可能である。
図４Ａ（ｂ）に示すように、回動部材８０は、下向き位置に位置する状態では、奥側から手前側に向かうにつれて徐々に下方に向かう。図４Ｂ（ｂ）に示すように、上向き位置に位置する状態では、奥側から手前側に向かうにつれて徐々に上方に向かう。
【００３０】
図３に示すように、回動部材８０のうちの奥側の部分には被作用部８３（次述）が形成され、手前側の部分には作用部８５（後に詳述）が形成されている。
図４Ａ（ｂ）に示すように、回動部材８０が下向き位置に位置する状態において、被作用部８３は前進位置に位置し、作用部８５は下降位置に位置するといえる。
図４Ｂ（ｂ）に示すように、回動部材８０が上向き位置に位置する状態において、被作用部８３は後退位置に位置し、作用部８５は上昇位置に位置するといえる。
【００３１】
図３に示すように、回動部材８０の後端部（奥側の端部）の近傍には、被作用部８３が形成されている。
被作用部８３は、回動部材８０のうちの上板部８２の後端部（奥側の端部）と、その奥側においてこのパチンコ機の幅方向にかつ同軸上に延びる左右一対の延出部８４によって形成されたスリット状をしている。被作用部８３は、回動軸８１よりも上方に、かつ、回動軸８１よりも奥側に位置している。
被作用部８３に、プランジャ９２の作用部９３が嵌合されている。
【００３２】
こうして、図４Ａに示すように、プランジャ９２が前進位置に位置する状態では、回動部材８０の被作用部８３に対するプランジャ９２の作用部９３の作用に基づいて、回動部材８０は下向き位置に位置する。
すなわち、プランジャ９２が後退位置（図４Ｂ）から前進位置（図４Ａ）に移動する際に、プランジャ９２は回動部材８０の被作用部８３（上板部８２の後端部）を手前側に押圧し、回動部材８０は上向き位置（図４Ｂ）から下向き位置（図４Ａ）に変位する（被作用部８３は後退位置から前進位置に変位する）。そして、図４Ａに示すように、プランジャ９２が前進位置に位置する状態で、回動部材８０は下向き位置に維持される。
【００３３】
一方、図４Ｂに示すように、プランジャ９２が後退位置に位置する状態では、回動部材８０の被作用部８３に対するプランジャ９２の作用部９３の作用に基づいて、回動部材８０は上向き位置に位置する。
すなわち、プランジャ９２が前進位置（図４Ａ）から後退位置（図４Ｂ）に移動する際に、プランジャ９２は回動部材８０の被作用部８３（延出部８４）を奥側に押圧し、回動部材８０は下向き位置（図４Ａ）から上向き位置（図４Ｂ）に変位する（被作用部８３は前進位置から後退位置に変位する）。そして、図４Ｂに示すように、プランジャ９２が後退位置に位置する状態で、回動部材８０は上向き位置に維持される。
【００３４】
図３に示すように、回動部材８０は、左右一対の作用部８５を有している。
各作用部８５は、ともに前方（手前側）に延びる上下一対の上側作用部８６ａ，下側作用部８６ｂを有している。
図４Ａ，図４Ｂに示すように、各羽根片６０ａ，６０ｂの被作用部６５は、各作用部８５における上側作用部８６ａ及び下側作用部８６ｂによって挟まれている。
【００３５】
こうして、図４Ａに示すように、回動部材８０が下向き位置に位置する状態では、各羽根片６０ａ，６０ｂの被作用部６５に対する回動部材８０の各作用部８５（各上側作用部８６ａ）の作用に基づいて、各羽根片６０ａ，６０ｂは、閉位置に位置する。
すなわち、回動部材８０が上向き位置（図４Ｂ）から下向き位置（図４Ａ）に変位する（各作用部８５が下降位置に変位する）際に、回動部材８０の各作用部８５（各上側作用部８６ａ）は各羽根片６０ａ，６０ｂの被作用部６５を下方に押圧し、各羽根片６０ａ，６０ｂは開位置（図４Ｂ）から閉位置（図４Ａ）に変位する。そして、図４Ａに示すように、回動部材８０が下向き位置に位置する状態で、各羽根片６０ａ，６０ｂは閉位置に維持される。
【００３６】
一方、図４Ｂに示すように、回動部材８０が上向き位置に位置する状態では、各羽根片６０ａ，６０ｂの被作用部６５に対する回動部材８０の各作用部８５（各下側作用部８６ｂ）の作用に基づいて、各羽根片６０ａ，６０ｂは、開位置に位置する。
すなわち、回動部材８０が下向き位置（図４Ａ）から上向き位置（図４Ｂ）に変位する（各作用部８５が上昇位置に変位する）際に、回動部材８０の各作用部８５（各下側作用部８６ｂ）は各羽根片６０ａ，６０ｂの被作用部６５を上方に押圧し、各羽根片６０ａ，６０ｂは閉位置（図４Ａ）から開位置（図４Ｂ）に変位する。そして、図４Ｂに示すように、回動部材８０が上向き位置に位置する状態で、各羽根片６０ａ，６０ｂは開位置に維持される。
【００３７】
図３，図４Ａ，図４Ｂに示すように、この入賞装置４０では、回動部材８０における回動軸８１，作用部８５，被作用部８３の間の寸法（距離）が次のようにされている。
作用部８５と回動軸８１との間の距離は被作用部８３と回動軸８１との間の距離よりも長く、作用部８５と回動軸８１との間の距離は、被作用部８３と回動軸８１との間の距離の約４倍である。
【００３８】
次に、この入賞装置４０の作用及び効果について説明する。
図２（Ａ），図４Ａに示すように、通常は、ソレノイド９０（電磁石）は非励磁状態にあり、圧縮スプリング９１の付勢力によってプランジャ９２は前進位置に位置する。それに基づいて、回動部材８０は下向き位置に位置し、それに基づいて、各羽根片６０ａ，６０ｂは閉位置に位置する。こうして、入賞装置４０は閉状態にある。
【００３９】
一方、所定の条件が満たされることによって、図２（Ａ）及び図４Ａ→図２（Ｂ）及び図４Ｂに示すように、所定の時間の間（例えば０．５秒の間）、ソレノイド９０（電磁石）は励磁状態とされる。
ソレノイド９０が非励磁状態から励磁状態に変化することによって、圧縮スプリング９１の付勢力に抗してプランジャ９２が後退位置に移動し、それに基づいて、回動部材８０は上向き位置に変位し、それに基づいて、各羽根片６０ａ，６０ｂは開位置に変位する。こうして、入賞装置４０は開状態となる。
ソレノイド９０の励磁状態が維持されている間、入賞装置４０は開状態が維持される。
【００４０】
そして、上記所定の時間（例えば０．５秒）が経過した時点で、ソレノイド９０は非励磁状態に戻される。
これによって、図２（Ｂ）及び図４Ｂ→図２（Ａ）及び図４Ａに示すように、圧縮スプリング９１の付勢力に基づいてプランジャ９２が前進位置に戻り、それに基づいて、回動部材８０は下向き位置に戻り、それに基づいて、各羽根片６０ａ，６０ｂは閉位置に戻る。こうして、入賞装置４０は閉状態に戻る。
【００４１】
上述のように入賞装置４０が開状態から閉状態に戻る際について、次のことがいえる。
すなわち、前述したように、回動部材８０における作用部８５・回動軸８１間の距離が被作用部８３・回動軸８１間の距離の約４倍であるため、プランジャ９２が後退位置から前進位置に戻ることに伴って回動部材８０の作用部８５が上昇位置から下降位置に変位する（戻る）速度は、同じく回動部材８０の被作用部８３が後退位置から前進位置に変位する（戻る）速度の約４倍である。
このため、各羽根片６０ａ，６０ｂは、それに基づいた速い速度で開位置から閉位置に戻り、入賞装置４０は、速い速度で開状態から閉状態へ戻ることとなる。
【００４２】
すなわち、入賞装置４０は、開状態から閉状態に変位する（戻る）際に、開状態と閉状態との間の中途の状態である時間が短い。
このため、その中途の時間の間においてパチンコ球が容易に入賞するということが防止され、当初の想定の個数のパチンコ球を入賞させることが可能となる。
ここで、前述したように、始動入賞装置４０にパチンコ球が入賞することに基づいて、遊技者にはセンター役物３０による特別な利益が与えられる。その特別な利益は、始動入賞装置４０に入賞したパチンコ球の数だけ遊技者に与えられる。
このため、始動入賞装置４０に入賞するパチンコ球の数には大きな意味があるのであり、当初の想定よりも余分に入賞することが防止され得る。
【００４３】
なお、上記のものはあくまで本発明の一実施形態にすぎず、当業者の知識に基づいて種々の変更を加えた態様で本発明を実施できることはもちろんである。
【００４４】
例えば、上述の実施形態は、プランジャ９２が前進位置に位置することに基づいて各羽根片６０ａ，６０ｂが閉位置に位置し、プランジャ９２が後退位置に位置することに基づいて各羽根片６０ａ，６０ｂが開位置に位置するものであるが、それとは逆に、プランジャ９２が後退位置に位置することに基づいて各羽根片６０ａ，６０ｂが閉位置に位置し、プランジャ９２が前進位置に位置することに基づいて各羽根片６０ａ，６０ｂが開位置に位置する、という態様でもよい。
また、本発明は、センター役物（３０）を始動させる始動入賞装置（４０）に限らず、そのような機能を有さない入賞装置にも適用され得る。
【図面の簡単な説明】
【００４５】
【図１】本発明の一実施形態の入賞装置を有する弾球遊技機を示す正面図である。
【図２】本発明の一実施形態の弾球遊技機の入賞装置を示す斜視図である。（Ａ）は閉状態の入賞装置を示し、（Ｂ）は開状態の入賞装置を示す。
【図３】本発明の一実施形態の弾球遊技機の入賞装置を示す分解斜視図である。
【図４Ａ】本発明の一実施形態の弾球遊技機の入賞装置の作用を示す図である。入賞装置が閉状態にある状態を示す。入賞装置のうち主要な要素のみを取り出して示す。（ａ）は斜視図であり、（ｂ）は縦断面図であり、（ｃ）は正面図である。これらのことは図４Ｂでも同様である。
【図４Ｂ】本発明の一実施形態の弾球遊技機の入賞装置の作用を示す図である。入賞装置が開状態にある状態を示す。
【符号の説明】
【００４６】
４０  始動入賞装置（入賞装置）
６０ａ，６０ｂ  羽根片
８０  回動部材
８１  回動軸
８３  被作用部
８５  作用部
９２  プランジャ
【図１】
2008148815.tif 000003
【図２】
2008148815.tif 000004
【図３】
2008148815.tif 000005
【図４Ａ】
2008148815.tif 000006
【図４Ｂ】
2008148815.tif 000007